Podtech/llm-jp-corpus-v4-ja_patent huggingface dataset:
(57)【要約】【課題】切り欠き孔７の端部にシャフトを配置することにより、センサー配線の一部が前記シャフトに添って折れ曲がり、それによって該センサー配線が前記切り欠き孔の緑に圧接しないようにできる。これより、蝶番動作で配線に傷が付かないための、ゴムプッシュの追加や、カーリング穴の加工などの工数や手間を削減できる。そのような構造を提供する。【解決手段】器具本体１を備え、前記器具本体１に蝶着自在に装着される取付金具３を備え、前記取付金具３に固着される人検知センサー４を備え、前記器具本体１における前記蝶着個所２に切り欠き孔７を形成し、前記切り欠き孔７を通り前記人検知センサー４に至るセンサー配線を具備し、前記蝶着個所２に配置される軸であって前記取付金具３の回転中心軸となるシャフトを備え、前記センサー配線の一部が前記シャフトに添って折れ曲がり、それによって該センサー配線が前記切り欠き孔７の緑に圧接しないようにする。【選択図】    図１
2004158406.tif 000002
【特許請求の範囲】
【請求項１】
器具本体を備え、前記器具本体に蝶着自在に装着される取付金具を備え、前記取付金具に固着される人検知センサーを備え、前記器具本体における前記蝶着個所に切り欠き孔を形成し、前記切り欠き孔を通り前記人検知センサーに至るセンサー配線を具備し、前記蝶着個所に配置される軸であって前記取付金具の回転中心軸となるシャフトを備え、前記センサー配線の一部が前記シャフトに添って折れ曲がり、それによって該センサー配線が前記切り欠き孔の緑に圧接しないようにしたことを特徴とする人検知センサー付照明器具。
【発明の詳細な説明】
【０００１】
【発明の属する技術分野】
本発明は、人の動きにより点滅する、人検知センサーを搭載した照明器具に関する。
【０００２】
【従来の技術】
従来においては、図３に示すように、器具本体を備え、前記器具本体に蝶着自在に装着される取付金具を備え、前記取付金具に固着される人検知センサーを備え、前記器具本体における前記蝶着付近に切り欠き孔を形成し、前記切り欠き孔を通り前記人検知センサーに至るセンサー配線を具備しており、前記蝶着付近の切り欠き孔は自在の蝶着機構により、配線に損傷などを与えない為に、プッシュを取り付けたり、カーリング孔にしたりしていた。
【０００３】
【発明が解決しようとする課題】
前記蝶着付近の切り欠き孔は自在の蝶着機構により、配線に損傷などを与えない為に、プッシュを取り付けたり、カーリング孔にしていたので、組立て工数や部品点数、加工工数などがかかっていた。この工数を軽減する為に、本発明に至った。
【０００４】
【課題を解決するための手段】
本発明おいては、器具本体を備え、前記器具本体に蝶着自在に装着される取付金具を備え、前記取付金具に固着される人検知センサーを備え、前記器具本体における前記蝶着個所に切り欠き孔を形成し、前記切り欠き孔を通り前記人検知センサーに至るセンサー配線を具備し、前記蝶着個所に配置される軸であって前記取付金具の回転中心軸となるシャフトを備え、前記センサー配線の一部が前記シャフトに添って折れ曲がり、それによって該センサー配線が前記切り欠き孔の緑に圧接しないようにした。
【０００５】
【発明の実施の形態】
図１に本発明の人検知センサー付照明器具の全体図を示す。器具本体１の蝶着個所２に蝶着自在に装着される取付金具３を備え、前記取付金具３に固着される人検知センサー４を備える。図２に本発明による蝶着個所２の拡大図を示す。蝶着個所２に切り欠き孔７を形成し、前記切り欠き孔７を通り前記人検知センサー４に至るセンサー配線８を具備し、前記蝶着個所２に配置される軸であって前記取付金具３の回転中心軸となるシャフト９を備える。シャフト９を切り欠き孔７の端部に配置させて、切り欠き孔７の端部にセンサー配線８が直接当たらないようにしている。
比較参考のために、図３に従来方法による切り欠き孔７の実施図を示す。センサー配線８を切り欠き孔７の端面のバリなどによる傷付きから保護する為、ゴムブッシュ１０を使用したり、カーリング穴１１に加工したりしていた。
【０００６】
【発明の効果】
本発明においては、前記切り欠き孔の端部にシャフトを配置することにより、前記センサー配線の一部が前記シャフトに添って折れ曲がり、それによって該センサー配線が前記切り欠き孔の緑に圧接しないようにできる。これより、蝶番動作で配線に傷が付かないための、ゴムプッシュの追加や、カーリング穴の加工などの工数や手間を削減できる。
【図面の簡単な説明】
【図１】本発明に係る人検知センサー付照明器具の全体図である。
【図２】その蝶着個所の拡大図蝶着個所の拡大図である。
【図３】従来方法による切り欠き孔の説明図である。
【符号の説明】
１．．．器具本体、２．．．蝶着個所、３．．．取付金具、４．．．人検知センサー、５…ランプ、６…カバー、７…切り欠き孔、８…センサー配線、９…シャフト  １０…ゴムブッシュ１１．．．カーリング穴
【図１】
2004158406.tif 000003
【図２】
2004158406.tif 000004
【図３】
2004158406.tif 000005
(57)【要約】【課題】金属製軸部１１と合成樹脂製摘み部１３より構成される回転止め具１０の金属製軸部１１の一部を合成樹脂製摘み部１３より突出させることにより、回転止め具１０の回動操作のみにより反射板３０等の塗装板金との電気的接続を確実に有し固定することを可能とする。【解決手段】金属製軸部１１と前記金属製軸部１１の一端部を覆う樹脂製摘み部１３とを具備する回転止め具１０を備える。受け孔を具備し該受け孔を介して前記回転止め具１０に組付けられる金属板を備える。前記金属板は合成樹脂製摘み部１３と圧接する前記組付け形態である。前記金属製軸部１１と電気的に導通し前記樹脂製摘み部１３の内側からその一部を破って突出しする金属製突起１２を備える。前記金属製突起１２を前記樹脂製摘み部１３に回動操作を施したときに前記金属板の板面に添って摺動する位置に配置する。【選択図】    図１
2004158408.tif 000002
【特許請求の範囲】
【請求項１】
金属製軸部と前記金属製軸部の一端部を覆う樹脂製摘み部とを具備する回転止め具を備え、受け孔を具備し該受け孔を介して前記回転止め具に組付けられる金属板を備え、前記金属板は合成樹脂製摘み部と圧接する前記組付け形態であり、前記金属製軸部と電気的に導通し前記樹脂製摘み部の内側からその一部を破って突出しする金属製突起を備え、前記金属製突起を前記樹脂製摘み部に回動操作を施したときに前記金属板の板面に添って摺動する位置に配置したことを特徴とする回転止め具による固定構造。
【発明の詳細な説明】
【０００１】
【発明の属する技術分野】
本発明は、電気的接続を可能とした固定構造に関する。
【０００２】
【従来の技術】
従来の技術では、反射板などの意匠性を考慮した塗装板金の電気的接続には、別部品を設け器具本体・反射板の両者を電気的に接続する方法や、金属製軸部をもつ化粧ねじの軸部と塗膜を剥がした反射板の固定穴断面との接触により電気的接続を有する固定構造としていたが、前者は部品点数、後者は電気的接続の確実性の点で問題があった。
【０００３】
【発明が解決しようとする課題】
従来技術では、塗装板金の電気的接続には、別部品を設ける方法や、金属製軸部をもつ化粧ねじの軸部と塗膜を剥がした塗装板金の固定穴断面との接触による方法を採用していた。
本発明においては、金属製軸部と合成樹脂製摘み部より構成される回転止め具の金属製軸部の一部を合成樹脂製摘み部より突出させることにより、回転止め具の回動操作のみにより反射板等の塗装板金との電気的接続を確実に有し固定することを可能とする。
【０００４】
【課題を解決するための手段】
上記目的を達成するために、金属製軸部と合成樹脂製摘み部より構成される回転止め具の金属製軸部に突起部を設け、合成樹脂製摘み部より突出させることにより回転止め具の回動操作のみにより金属製軸部の突起部が塗装板金の塗装膜を削り固定した際に、回転止め具の金属製軸部を介して塗装板金を電気的に接続する。
【０００５】
【発明の実施の形態】
本発明の実施形態を図１〜９にて説明する。図１〜３は本発明蛍光灯器具の姿図・回転止め具取付け方法姿図・回転止め具固定時拡大図をそれぞれ示しており、回転止め具１０・取付台２０・反射板３０・器具本体４０・ランプソケット５０から構成される。回転止め具１０を取り付ける取付台２０は、器具本体４０にカシメ取り付けしており、電気的に接続かつ固定されている。反射板３０には小判形状の固定穴３１が設けてあり、回転止め具１０の合成樹脂製摘み部１３を貫通させ回動操作後に装着固定が可能な構造としている。図４は回転止め具固定時のＡ−バ断面図を示している。回転止め具１０は金属製軸部１１・合成樹脂製摘み部１３より構成され、金属製軸部１１は取付台２０に常に接触し電気的接続固定している。金属製軸部１１には突起部１２が、合成樹脂製摘み部１３には反射板押上突起１４がそれぞれ設けられ、回動操作をした際、反射板３０の裏面の塗装膜を突起部１２が削り電気的に接続かつ固定される。この際、合成樹脂製摘み部１３の反射板押上突起１４が反射板３０を突起部１２の方向へ押し上げ反射板３０と突起部１２が圧接され電気的接続が確実なものとなる。
その他の実施例として、図６〜７は本発明化粧ねじ方式蛍光灯器具の姿図・取付け方法姿図をそれぞれ示しており、化粧ねじ６０・取付台７０・反射板８０・器具本体９０・ランプソケット１００から構成される。化粧ねじ６０を取り付ける取付台７０は、器具本体９０にカシメ取り付けしており、電気的に接続かつ固定されている。取付台７０には取付穴７１が、反射板８０には固定穴８１がそれぞれ設けられ、化粧ねじ６０の締付けにより固定される。
図８〜９は本発明化粧ねじ姿図・断面図を示している。化粧ねじ６０は金属製ねじ部６１・突起部６２・摘み部６３より構成される。金属製ねじ部６１は取付台７０に取付後は、常に接触し電気的に接続する。化粧ねじ６０の突起部６２は締付けにより、反射板８０の表面の塗装膜を削り、電気的に接続かつ固定が可能となる。この際、反射板の表面の塗装膜を削るが、突起部６２は摘み部６３の外径より内側に配するため、塗装膜の削り跡は摘み部６３により隠される。
【０００６】
【発明の効果】
本発明によれば、回転止め具の回動操作のみにより塗装板金との確実な電気的接続を有した固定が可能となる。
【図面の簡単な説明】
【図１】本発明蛍光灯器具の姿図である。
【図２】その回転止め具取付け方法を示す姿図である。
【図３】その回転止め具固定時の拡大図である。
【図４】その回転止め具固定時の断面図である。
【図５】従来回転止め具の固定時の断面図である。
【図６】化粧ねじ案蛍光灯器具の姿図である。
【図７】化粧ねじ案取付け方法を示す姿図である。
【図８】本発明化粧ねじの姿図である。
【図９】その化粧ねじの断面図である。
【図１０】従来化粧ねじの姿図である。
【図１１】その化粧ねじの断面図である。
【符号の説明】
１０：回転止め具、１１；金属製軸部、１２：突起部、１３：摘み部、１４：押上突起、２０：取付台、３０：反射板、３１：固定穴、４０：器具本体、５０：ランプソケット、６０：化粧ねじ、  ６１：金属製ねじ部、６２：突起部、６３：摘み部、７０：化粧ねじ案取付台、７１：取付穴、８０：化粧ねじ案反射板、８１：固定穴、９０：化粧ねじ案器具本体、１００：化粧ねじ案ランプソケット
【図１】
2004158408.tif 000003
【図２】
2004158408.tif 000004
【図３】
2004158408.tif 000005
【図４】
2004158408.tif 000006
【図５】
2004158408.tif 000007
【図６】
2004158408.tif 000008
【図７】
2004158408.tif 000009
【図８】
2004158408.tif 000010
【図９】
2004158408.tif 000011
【図１０】
2004158408.tif 000012
【図１１】
2004158408.tif 000013
(57)【要約】【課題】異常発熱時に速やかに消灯させる。【解決手段】電球１を覆う金属製の反射板２と前記反射板２およびランプソケット４を覆う合成樹脂製の外郭６によりセード部を構成する。前記反射板２と外郭６の係合部には間隙７を設け、前記間隙７に基準姿勢の状態においてサーマルプロテクタ８が電球１のバルブ部９の上位あるいはバルブ部９よりセード閉口都側に配置する。【選択図】    図１
2004158405.tif 000002
【特許請求の範囲】
【請求項１】
取付け座とそこから延びる支柱とその上端部に支持されるセード部を備え、別記セード部は一端側が大きく関口し他端側が小さく窄まる形状の合成樹脂製のセード部外郭を備え、前記セード部外郭における前記窄まった箇所寄りの内側に配置するソケット部を備え、前記ソケット部に口金部が捻じ込まれバルブ部が前記開口寄りに位置する白熱電球を備え、一端側が大きく関口する金属製の反射笠を備え、前記反射笠を前記バルブ部の外側にかつ前記セード部外郭の内側に配置し、前記反射笠・セード部外郭の各開口が同一側となるように配置し、異常加熱時に前記白熱電球の点灯回路を強制遮断するサーマルプロテクタを備え、前記サーマルプロテクタを前記反射笠の外面と接するように配置し、前記白熱電球の中心軸が水平となる基準姿勢の状態において前記サーマルプロテクタが前記バルブ部に対応する位置あるいはそれよりも前記閉口側寄りに位置するように定めたことを特徴とする白熱灯スタンド。
【発明の詳細な説明】
【０００１】
【発明の属する技術分野】
本発明は、白熱灯スタンドに関し、特に、セード部に配置して電球異常発熱時に点灯回路を遮断するためのサーマルプロテクタの配置構造に関する。
【０００２】
【従来の技術】
従来の白熱灯スタンドにおけるサーマルプロテクタ搭載位置は、ランプソケットを支持するための支持金具を用いてランプソケット側面部およびその近傍に配置している。
【０００３】
【発明が解決しようとする課題】
上記従来技術での、セード部にタオル等を被せられた場合などに起こる電球異常発熱時の電源遮断経路は、電球の発熱によりセード内部温度が上昇するとともに熱伝導によってソケットが加熱されサーマルプロテクタに伝達、検知し、電源を遮断する方式である。この場合、電球異常発熱からサーマルプロテクタに検知されるまで数十秒から数分の時間を要する。このため被せられた材質によっては電球の放射熱により焦げたり、溶解してしまうことがあった。本発明は、上記難点を解消し、異常発熱時、速やかに消灯することを目的とする。
【０００４】
【課題を解決するための手段】
本発明の白熱灯スタンドは、電球を覆う金属製の反射板と前記反射板およびランプソケットを覆う合成樹脂製の外郭によりセード部を構成した。前記反射板と外郭の係合部には間隙を設け、前記間隙に基準姿勢の状態においてサーマルプロテクタが電球のバルブ部の上位あるいはバルブ部よりセード閉口都側に配置する。
【０００５】
【発明の実施の形態】
図１により説明する。本実施例は白熱電球１を備え、照射面側を大きく開口した金属製の反射板２、回転式スイッチ３と一体化したランプソケット４、前記ランプソケットおよび前記反射板を支持する取付台５、前記すべての部品を覆うように成形した合成樹脂製の外郭６によりセード部を構成した。外郭６は、前記反射板と同様に照射面側を大きく開口し後方部が窄まるような外観とし前記反射板が内側に係合する形態とした。なお、前記外郭と前記反射板の係合部には間隙７を設け、電球異常発熱時に点灯回路を遮断するためのサーマルプロテクタ８を反射板に接するよう備えた。前記サーマルプロテクタの配置は、白熱電球の中心軸が水平となる基準姿勢の状態において前記白熱電球のバルブ部９に対応する位置あるいはそれよりも照射面側になるように配置する。前記の配置によれば白熱電球の至近でサーマルプロテクタによる熱検知が可能となるので点灯回路を遮断するまでの時間が短縮できる。セード部下方には、屈曲自在のフレキシブルパイプ２０を備え、その下端に机の端部等に容易に取付可能なクリップ３０を備える。
【０００６】
【発明の効果】
上記のように本発明によれば、器具に布等が被せられた時などの電球異常発熱時に速やかに点灯回路が遮断できるので被覆物を焦がしたり、溶解することがなくなる。さらには、火災への発展性が防止できるので製品安全性の向上が図れる。
【図面の簡単な説明】
【図１】本発明の白熱灯スタンドの主要部断面図である。
【符号の説明】
１：白熱電球、２：反射板、３：回転式スイッチ、４：ランプソケット、５：取付台  、６：外郭、７：間隙、８：サーマルプロテクタ、９：バルブ部、２０：フレキシブルパイプ、３０：クリップ
【図１】
2004158405.tif 000003
(57)【要約】【課題】蛍光灯ランプを使用する照明器具の、本体１０と反射板５０を電気的に確実に接続する。【解決手段】器具本体１０を備える。前記器具本体１０におけるソケット台２０に装着されるランプソケット３０を備える。前記器具本体１０に着脱自在に装着される反射板５０を備える。前記ランプソケット３０にアース金具４０を装着する。前記反射板５０におけるソケット受入れ孔５１の縁５２に圧接する接触部４１と前記ソケット台２０に圧接する接触部４２を前記アース金具４０に形成する。前記反射板５０を前記アース金具４０・ソケット台２０を介して前記器具本体１０へ電気的に接続する。【選択図】    図１
2004158409.tif 000002
【特許請求の範囲】
【請求項１】
器具本体を備え、前記器具本体におけるソケット台に装着されるランプソケットを備え、前記器具本体に着脱自在に装着される反射板を備え、前記ランプソケットにアース金具を装着し、前記反射板におけるソケット受入れ孔の縁に圧接する接触部と前記ソケット台に圧接する接触部を前記アース金具に形成し、前記反射板を前記アース金具・ソケット台を介して前記器具本体へ電気的に接続することを特徴とする蛍光灯器具。
【発明の詳細な説明】
【０００１】
【発明の属する技術分野】
本発明は蛍光ランプを使用する照明器具に関する。
【０００２】
【従来の技術】
従来の技術では器具本体と着脱自在に装着される反射板を備え、反射板に対しても着脱自在に取付けられるターンファスナーを備えた蛍光灯照明器具において器具本体と反射板の電気的な接続は取られていなかつた。
【０００３】
【発明が解決しようとする課題】
本発明の目的は、蛍光灯ランプを使用する照明器具の、本体と反射板を電気的に確実に接続することである。
【０００４】
【課題を解決するための手段】
上記課題を解決するため蛍光ランプを保持するソケットを介し、器具本体と反射板の電気的な接続を取る。
【０００５】
【発明の実施の形態】
図１〜４を用いて、本発明の実施形態について説明する。図示のごとく、本発明器具は、器具本体１０にはリケット台２０が装着され，前記ソケット台２０はソケット３０がスライドすることにより前記ソケット３０が保持されるソケット保持部２１を有する。前記ソケット３０は、前記ソケット保持部２１に取り付けられるソケット保持部取付部３１を有し、前記ソケット保持部取付部３１に露出し、前記ソケット３０が前記ソケット保持部２１により前記ソケット台２０に取付られる場合、前記ソケット保持部２１に接する接触部４１を有するアース金具４０を備える。前記アース金具４０は、前記ソケット３０の外郭正面・側面・後面から露出するように設けられ、反射板５０を前記器具本体１０に取り付ける場合、前記反射板５０に設けられたソケット受入孔５１が前記ソケット３０を受入た後、前記ソケット受入孔５１の縁５２に圧接する圧接部４２を備え、且つ前記ソケット受入孔５Ｌを着脱自在に保持する受入孔保持部４３を備える。前記受入孔保持部４３により前記反射板５０自体が保持されるため、以上に述べた方法により、前記器具本体１０と前記反射板５０の電気的な接続を有するとともに、前記反射板５０の仮止め、または他の反射板取付部品の介在なくして、前記反射板５０を前記器具本体１０に保持することができる。
【０００６】
【発明の効果】
本発明により、リケットを介在して器具本体と反射板を電気的に接続する効果がある。また電気的に接続するためのアース金具により反射板を保持することができるので他の反射板取付部品の削減ができる。
【図面の簡単な説明】
【図１】本発明器具の傾斜図である。
【図２】そのソケットを反射板のソケット受入孔に取り付ける前の状態の断面図である。
【図３】そのソケットを反射板のソケット受入孔に取り付け始めた状態の断面図である。
【図４】そのソケットを反射板のソケット受入孔に取り付けた後の状態の断面図である。
【符号の説明】
１０．．．器具本体
２０．．．ソケット台
２１．．．ソケット保持部
３０．．．ソケット
３１．．．ソケット保持部取付部
４０．．．アース金具
４１．．．接触部
４２．．．圧接部
４３．．．受入孔保持部
５０．．．反射板
５１．．．ソケット受入孔
５２．．．縁
【図１】
2004158409.tif 000003
【図２】
2004158409.tif 000004
【図３】
2004158409.tif 000005
【図４】
2004158409.tif 000006
(57)【要約】【課題】簡便に確実に放電灯４３の寿命末期を検知する。【解決手段】直流電源１０を備える。順直列一対のスイッチング素子２１・２２を含むスイッチング回路を備える。前記直流電源１０・スイッチング回路を並列に接続する。前記各スイッチング素子２１・２２と逆並列に接続・するフライホイールダイオード２３・２４を備える。前記各スイッチング素子２１・２２を交互にオンオフするように駆動する駆動回路３０を備える。放電灯４３・バラスト用インダクタ４１・共振用コンデンサ４２・コンデンサ４４を直列に含む点灯回路４０備える。前記放電灯４３のランプ電圧波形の正、負電圧をそれぞれ検出する正電圧検出回路３１、負電圧検出回路３２および、検出した正、負電圧の電圧差を検出する一対の差動増幅回路３３、３４を備える。差動増幅回路３３、３４の出力電圧が所定のしきい値を超えたときに前記駆動回路３０へ動作停止命令信号を出力する寿命判定回路３５を備える。【選択図】    図１
2004158404.tif 000002
【特許請求の範囲】
【請求項１】
直流電源を備え、順直列一対のスイッチング素子を含むスイッチング回路を備え、前記直流電源・スイッチング回路を並列に接続し、前記各スイッチング素子と逆並列に接続するフライホイールダイオードを備え、前記各スイッチング素子を交互にオンオフするように駆動する駆動回路を備え、放電灯・バラスト用インダクタ・共振用，コンデンサ・コンデンサを直列に含む点灯回路備え、
前記放電灯のランプ電圧波形の正、負電圧をそれぞれ検出する正電圧検出回路、負電圧検出回路および、検出した正、負電圧の電圧差を検出する一対の差動増幅回路を備え、差動増幅回路の出力電圧が所定のしきい値を超えたときに前記駆動回路へ動作停止命令信号を出力する寿命判定回路を備えることを特徴とする放電灯点灯装置。
【発明の詳細な説明】
【０００１】
【発明の属する技術分野】
本発明は放電灯点灯装置における、ランプ寿命末期検知回路に関する。
【０００２】
【従来の技術】
従来装置の回路図を図２に示す。図２は一般的に知られるハーフブリッジ回路の例である。このインバータ装置は、直流電源１０の両端に直列接続された、スイッチング素子２１・２２を駆動回路３０にて交互にオンオフしてスイッチング素子２２の両端に接続された放電灯４３を含む点灯回路４０に高周波電力を供給するものである。放電灯４３の両端電圧はランプ電圧検出回路３６にて監視され放電灯４３の両端電圧が所定のしきい値を超えたときに寿命判定回路３５にて動作停止指令信号を前記駆動回路３０へ出力しインバータ装置を保護するものである。
【０００３】
【発明が解決しようとする課題】
上記従来技術は、放電灯の両端電圧を倍電圧整流回路にて監視しているため、寿命末期時に放電灯の両端電圧が正常時と比べて明らかに上昇しないと判定ができないという問題があつた。
これは正常ランプであっても、まだ新しいランプの場合や、点灯初期のまだランプ自身が冷えている場合などは放電灯の両端電圧が安定点灯時に比べ高いことから、寿命判定回路３５のしきい値はこのような状態でも誤動作しないよう安定点灯時に比べ十分マージンを持った高いレベルに設定せざるを得ないからである。
本発明の目的は簡便に確実に放電灯の寿命末期を検知することにある。
【０００４】
【課題を解決するための手段】
上記目的を達成するために、本発明はランプ電圧波形の正、負電圧それぞれを検出する正電圧検出回路３１、負電圧検出回路３２および、検出した正、負電圧の電圧差を一対の差動増幅回路３３、３４にて増幅し、差動増幅回路３３、３４の出力電圧を寿命判定回路３５にて判定する構成としている。
放電灯が正常点灯時には、ランプ電圧波形は正、負対称波形であるため、正電圧検出回路３１、負電圧検出回路３２にて検出される電圧は同一値である。しかし、放電灯が寿命末期となると放電灯の整流作用によりランプ電圧波形は正、負非対称波形となり、正電圧検出回路３１、負電圧検出回路３２にて検出されるそれぞれの電圧は大きく異なった値となる。この検出された電圧を一対の差動増幅回路３３、３４に入力することで、差動増幅回路３３、３４の出力端子には検出された電圧の差電圧が増幅されて出力されるため、寿命判定回路３５にてランプ寿命末期を検知することができる。
【０００５】
【発明の実施の形態】
本発明の実施形態を図１により説明する。図１に示すよう直流電源１０に順直列一対のスイッチング素子２１、２２が接続され前記スイッチング素子２１、２２には逆並列にフライホイールダイオード２３、２４が接続されている。前記スイッチング素子２１、２２は駆動回路３０により交互にオンオフするよう制御される。放電灯４３、バラスト用インダクタ４１、共振用コンデンサ４２、コンデンサ４４を含む点灯回路４０がスイッチング素子２２と並列に接続されている。また放電灯４３両端には放電灯４３のランプ電圧波形の正電圧を検出する正電圧検出回路３１、及び負電圧を検出する負電圧検出回路３２が接続されている。また、正電圧検出回路３１、負電圧検出回路３２それぞれの検出した正、負電圧の電圧差を検出、増幅するための一対の差動増幅回路３３、３４が正電圧検出回路３１、負電圧検出回路３２に接続されている。放電灯４３が正常点灯している場合、そのランプ電圧波形は正、負対称波形のため、正電圧検出回路３１、負電圧検出回路３２それぞれの検出電圧値は同一値である。このため、差動増幅回路３３、３４の出力端子電圧はＯＶとなっている。
いま、放電灯４３のバラスト用インダクタ４１側がエミツタレス（片側エミッタレス）となった場合、放電灯４３のランプ電圧波形は、正側は正常時と同等の電圧値、一方負側は放電灯４３の整流作用により正常時に比べ高い電圧値となる。このため、負電圧検出回路３２により検出される電圧は正電圧検出回路３１により検出される電圧より高い値となる。この電圧差のある各検出電圧が差動増幅回路３３，３４に入力されるため、上記の場合においては差動増幅回路３４の出力信号が検出電圧の電圧差を増幅した電圧となり、寿命判定回路３５にて設定してある所定のしきい値を超えるため寿命判定回路３５により駆動回路３０は動作を停止する。
【０００６】
【発明の効果】
本発明によれば、放電灯のランプ電圧波形の正、負電圧の電圧差を差動増幅回路にて検出することにより簡便に確実に放電灯の寿命末期を検知することができる。
【図面の簡単な説明】
【図１】本発明装置の回路図である。
【図２】従来装置の回路図である。
【符号の説明】
１０：直流電源
２１，２２：スイッチング素子
２３，２４：フライホイールダイオード
３０：駆動回路
３１：正電圧検出回路
３２：負電圧検出回路
３３，３４：差動増幅回路
３６：寿命判定回路
３６：ランプ電圧検出回路
４０：点灯回路
４３：放電灯
４１：バラスト用インダクタ
４２：共振用コンデンサ
４４：コンデンサ
【図１】
2004158404.tif 000003
【図２】
2004158404.tif 000004
(57)【要約】【課題】従来のろうそく立てにろうそくを立てる時の差込み不十分あるいはろうそくの亀裂を防止するとともに、ろうそくに火が点いている時の転倒を防止するためのろうそく立て補助具を提供する。【解決手段】ろうそく（４）の胴体の一部を支持するための弾性を持った不燃材料の支持体（１）を形成し、かつろうそく立て（６）の芯立（５）が挿通可能な芯立の形状に沿った挿通孔（２）を形成している。【選択図】    図１
2004158420.tif 000002
【特許請求の範囲】
【請求項１】
ろうそくの胴体の一部を支持するための弾性を持った不燃材料の支持体を形成し、かつろうそく立ての芯立が挿通可能な芯立の形状に沿った挿通孔が形成した構成のろうそく立て補助具。
【発明の詳細な説明】
【０００１】
【発明の属する技術分野】
この発明は、ろうそく立てに装着して使用する、ろうそく立て補助具に関するものである。
【０００２】
【従来の技術】
従来のろうそく立ては、ろうそく受け部の中心に三角柱の形をした芯立が突設された構造で、ろうそくを固定する場合は、ろうそく底部に同じく三角柱の形をした中空部を前記芯立に差し込むことにより固定していた。
従来の技術としてはろうそく立てにアタッチメントを取り付ける技術がある（例えば、特許文献１参照）。これはろうそく基部が挿入出来る有底の孔をあけてろうそくの転倒防止を目的としている。
【０００３】
【特許文献１】
特開平９−２６５８３１号公報
【０００４】
【発明が解決しようとする課題】
今までは次のような欠点があった。
イ．ろうそくの底部を芯立に差し込んで固定するだけでは、差込みが不完全であったり、ろうそくに亀裂があった場合など、ろうそくに火がついたまま転倒の危険性があった。
ロ．また、ろうそく立ての芯立の上部は突出させさらに、小さくして、お年寄りがろうそくを差し込むには困難な場合があり前記のような差込みが不十分・ろうそくの亀裂を招く原因にもなった。
本発明は、以上の欠点を解決するためになされたものである。
【０００５】
【課題を解決するための手段】
本発明は、ろうそくの胴体の一部を支持するための弾性を持った不燃材料の支持体を形成し、かつろうそく立ての芯立が挿通可能な芯立の形状に沿った挿通孔を形成した構成のろうそく立て補助具である。
【０００６】
【発明の実施の形態】
以下本発明の実施の形態を図面を参照して説明する。
（イ）図５に示した実施例では、ろうそく立ての芯立が挿通可能な芯立の形状に沿った挿通孔（２）を形成し、かつろうそく立ての芯立に装着時ぐらつくことがなく、ろうそく底部の中空部が挿入出来るだけの芯立が挿通孔より突き出る大きさにする。
（ロ）さらに、ろうそくの胴体の一部を支持し、かつろうそくの大小に対応するため弾性を持った不燃材料の支持体（１）を形成し、ろうそくを前記支持体（１）の上部中心から挿入出来るだけの挿入口（３）を有し、ろうそくの胴体部が挿入口（３）より大きい場合は支持体（１）が外側へ開く構造にした。
（ハ）支持体（１）内部で酸欠によって火が途中で消えないようにするため、支持体内部は空洞とし支持体間は密着せず間を空けた構造にした。
（ニ）図１に示した実施例は、従来のろうそく立て（６）に本発明の補助具を取り付けた状態を示した図面である。
本発明の挿通孔（２）をろうそく立て（６）の芯立（５）を差込むと芯立（５）は挿通孔を突き抜け支持体内部まで突き出る状態となる。
さらにろうそく（４）を挿入口（３）より差し込むと、ろうそく底部の中空部（７）に芯立（５）が挿入されるとともに支持体（１）がろうそく胴体を支持し固定した構造にする。
【０００７】
【発明の効果】
本発明を使用することによって、ろうそくの胴体の一部を支持するための弾性を持った不燃材料の支持体を形成し、かつろうそく立ての芯立が挿通可能な芯立の形状に沿った挿通孔を形成した構成にして、ろうそくの底部を芯立に差し込んで固定するだけでは、差込みが不完全であった場合やろうそくに亀裂があった場合などろうそくに火がついたままの転倒を防止することが出来る。
さらに、ろうそくの支持体上部はろうそくが容易に挿入出来るような形状にして、ろうそくの挿入孔へ真っ直ぐ落とし込むことで容易に芯立へ差し込むことが出来るため、従来のろうそく立ての芯立の上部は突出させさらに小さくして、お年寄りがろうそくを差し込むには困難な場合があり前記のような差込みが不十分・ろうそくの亀裂を招いていたがこれらを防止することが出来る。
【図面の簡単な説明】
【図１】本発明を分解したときと組立てた状態を示した縦断面図である。
【図２】本発明の側面図である。
【図３】本発明の平面図である。
【図４】本発明の底面図である。
【図５】本発明の斜視図である。
【符号の説明】
１  支持体、２  挿通孔、３  挿入口、４  ろうそく、  ５  芯立、  ６  ろうそく立て、７  中空部
【図１】
2004158420.tif 000003
【図２】
2004158420.tif 000004
【図３】
2004158420.tif 000005
【図４】
2004158420.tif 000006
【図５】
2004158420.tif 000007
(57)【要約】【課題】蛍光ランプ３の点弧直後から、遠方からの赤外線信号を透光カパー８の内側に配置された赤外線信号受信器が受信できるようにする。【解決手段】器具本体７を備える。前記器具本体７に装着される透光カバー８を備える。前記器具本体７に装着され前記透光カバー８で覆われる蛍光ランプ３を備える。前記器具本体７に装着され前記蛍光ランプ３を点灯させる点灯回路２を備える。前記器具本体７における前記透光カバー８の内側に配置される赤外線信号受信器４を備える。前記器具本体７の遠方から赤外線信号を送り前記透光カバー８内側の前記赤外線信号受信器４および前記点灯回路２を介して前記蛍光ランプ３を制御する赤外線信号送信器５を備える。前記点灯回路２に前記蛍光ランプ３の点弧直後、一定期間該蛍光ランプ３を強制調光するためのタイマー信号を形成するタイマー回路６を付属させる。【選択図】    図１
2004158414.tif 000002
【特許請求の範囲】
【請求項１】
器具本体を備え、前記器具本体に装着される透光カバーを備え、前記器具本体に装着され前記透光カバーで覆われる蛍光ランプを備え、前記器具本体に装着され前記蛍光ランプを点灯させる点灯回路を備え、前記器具本体における前記透光カバーの内側に配置される赤外線信号受信器を備え、前記器具本体の遠方から赤外線信号を送り前記透光カバーの内側の前記赤外線信号受信器および前記点灯回路を介して前記蛍光ランプを制御する赤外線信号送信器を備え、前記点灯回路で前記蛍光ランプの点弧直後、一定期間該蛍光ランプを強制調光するためのタイマー信号を形成するタイマー回路を付属させたことを特徴とする蛍光灯点灯装置。
【発明の詳細な説明】
【０００１】
【発明の属する技術分野】
本発明は、遠方から赤外線信号を送り、透光カバー内側の赤外線信号受信器および点灯回路を介して蛍光ランプを制御する赤外線信号送信器を備えた照明器具に関する。
【０００２】
【従来の技術】
以下従来技術を図３の回路構成図、図２の透光カバーを備えた器具本体図より説明する。器具本体７を備え、前記器具本体７に装着される透光カバー８を備え、前記器具本体７に装着され前記透光カバー８で覆われる蛍光ランプ３を備え、前記器具本体７に装着され前記蛍光ランプ３を点灯させる点灯回路２を備え、前記器具本体７における前記透光カバー８の内側に配置される赤外線信号受信器４を備え、前記器具本体７の遠方から赤外線信号を送り前記透光カバー８の内側の前記赤外線信号受信器４および前記点灯回路２を介して前記蛍光ランプ３を制御する赤外線信号送信器５を備え、前記点灯回路２で前記蛍光ランプ３の点弧直後、該蛍光ランプ３を全光で点灯していた。
【０００３】
【発明が解決しようとする課題】
上記従来技術は、蛍光ランプの点弧直後、全光で点灯したため、一定期間蛍光ランプから赤外線信号の近傍の赤外線スペクトル強度が大きくなっている。ここで、具体的な例について説明する。図４は蛍光ランプ（ＦＨＤ７０）を全光点灯した時の点灯時間と赤外線スペクトル強度を示したものである。点灯から約３０秒間程度、通常より赤外線スペクトル強度大きい。よって、この赤外線スペクトル強度の影響のため、遠方からの赤外線信号を透光カバーの内側に配置された赤外線信号受信器が、一定期間（ＦＨＤ７０の場合約３０秒間程度）、受信しないことがあった。
本発明の目的は、蛍光ランプの点弧直後から、遠方からの赤外線信号を透光カパーの内側に配置された赤外線信号受信器が受信できるようにすることを目的とする。
【０００４】
【課題を解決するための手段】
器具本体を備える。前記器具本体に装着される透光カバーを備える。前記器具本体に装着され前記透光カバーで覆われる蛍光ランプを備える。前記器具本体に装着され前記蛍光ランプを点灯させる点灯回路を備える。前記器具本体における前記透光カバーの内側に配置される赤外線信号受信器を備える。前記器具本体の遠方から赤外線信号を送り前記透光カバー内側の前記赤外線信号受信器および前記点灯回路を介して前記蛍光ランプを制御する赤外線信号送信器を備える。前記点灯回路に前記蛍光ランプの点弧直後、一定期間該蛍光ランプを強制調光するためのタイマー信号を形成するタイマー回路を付属させる。
【０００５】
【発明の実施の形態】
以下本発明の実施形態を図１の回路構成図、図２の透光カパーを備えた器具本体図より説明する。器具本体７を備え、前記器具本体７に装着される透光カバー８を備え、前記器具本体７に装着され前記透光カバー８で覆われる蛍光ランプ３を備え、前記器具本体７に装着され前記蛍光ランプ３を点灯させる点灯回路２を備え、前記器具本体７における前記透光カバー８の内側に配置される赤外線信号受信器４を備え、前記器具本体７の遠方から赤外線信号を送り前記透光カパー８の内側の前記赤外線信号受信器４および前記点灯回路２を介して前記蛍光ランプ３を制御する赤外線信号送信器５を備え、前記点灯回路２で前記蛍光ランプ３の点弧直後、一定期間該蛍光ランプ３を強制調光するためのタイマー信号を形成するタイマー回路６を付属させる。
次に、動作ついて説明する。従来技術で述べたように、蛍光ランプ３の点弧直後、全光で点灯すると、一定期間蛍光ランプ３から赤外線信号の近傍の赤外線スペクトル強度が大きくなっている。よって、付属したタイマー回路６からのタイマー信号により点灯回路２で蛍光ランプ３の点弧直後き一定期間蛍光ランプ３を強制調光させることにより、全光と比較して赤外線信号の近傍の赤外線スペクトル強度を小さくできる。蛍光ランプ（ＦＨＤ７０）の場合、点弧直後から約３０秒間、約５０％の調光をすることにより、赤外線スペクトル強度も約５０％減少し、通常点灯の赤外線スペクトル強度と同等にできる。
【０００６】
【発明の効果】
本発明によれば、蛍光ランプの点弧直後から、遠方からの赤外線信号を透光カバーの内側に配置された赤外線信号受信器が受信できるようになる。
【図面の簡単な説明】
【図１】本発明の回路構成図である。
【図２】その透光カパーを備えた器具本体図である。
【図３】従来技術の回路構成図である。
【図４】蛍光ランプ（ＦＨＤ７０）を金光点灯した時の点灯時間と赤外線スペクトル強度の関係図である。
【符号の説明】
１：商用電源、２．．．点灯回路、３．．．蛍光ランプ、４．．．赤外線信号受信器、５．．．赤外線信号送信器、６．．．タイマー回路、７．．．器具本体、８．．．透光カバー
【図１】
2004158414.tif 000003
【図２】
2004158414.tif 000004
【図３】
2004158414.tif 000005
【図４】
2004158414.tif 000006
(57)【要約】      （修正有）【課題】放熱板の性能を損なわず、さらに放熱板はバックポーン１内に収まるためアースを確実に取ることができる蛍光灯器具を提供する。【解決手段】金属製のバックポーン１を備える。前記パックポーン１の下面側に固着される反射板５を備える。前記反射板５の下面側に装着される蛍光ランプ６を備える。前記パックポーン１・反射板５間のスペースに配置される点灯回路基板４を備える。前記点灯回路基板４は前記バックポーン１のバーリング孔８に下側からねじ込まれる複数の止めねじ７によって固着されるものである。前記点灯回路基板４は金属製放熱板９を備える。前記金属製放熱板９に形成するねじ孔１２に上側からねじ込まれるアース端子ねじ１１を備える。前記バックポーン１に前記アース端子ねじ１１の頭部は前記バックポーン１の上側に露出させそこにアース線を接続可能とするための配線補助孔を形成する。【選択図】    図１
2004158413.tif 000002
【特許請求の範囲】
【請求項１】
金属製のバックポーンを備え、前記パックポーンの下面側に固着される反射板を備え、前記反射板の下面側に装着される蛍光ランプを備え、前記パックポーン・反射板間のスペースに配置される点灯回路基板を備え、前記点灯回路基板は前記バックポーンのバーリング孔に下側からねじ込まれる複数の止めねじによって固着されるものであり、前記点灯回路基板は金属製放熱板を備え、前記金属製放熱板に形成するねじ孔に上側からねじ込まれるアース端子ねじを備え、前記バックポーンに前記アース端子ねじの頭部は前記バックポーンの上側に露出させそこにアース線を接続可能とするための配線補助孔を形成したことを特徴とする蛍光灯器具。
【発明の詳細な説明】
【０００１】
【発明の属する技術分野】
本発明は、照明器具のアース線接続用端子ねじの取り付け構造に関する。
【０００２】
【従来の技術】
蛍光灯照明器具の本体部の組立は、通常、バックポーンの上面側を下にして置き、上方から点灯回路基板、反射板、蛍光ランプ等構成部品を乗せていき組み付けてい〈。このため、バックポーンに固着させるための止めねじをねじ込むバーリング孔もバックポーンの下面倒から上面側に張り出す加工になっている。
【０００３】
【発明が解決しようとする課題】
上記従来技術は、バックポーンの上面側から下面側に張り出すバーリング孔の加工ができないという背景からバックポーン上面側の止めねじは、バックボーンに貫通孔を設けて、ナット等で締め付けなければならなかつた。
このため、パックポーン上面側に露出するアース線を接続する端子ねじは、ナット等で固着させるしかなく組立作業が難易になっていた。さらに、パックボーンは表面が塗装されおり、アースを取るためにはナットを歯付きナットにし、塗装を削る必要があつた。また、アース端子ねじをパックボーン下面側の反射板等に配置すると本体外部からのアース線を本体内に引き込まなければならず、器具性能である防虫構造を守るための器具構造が難易になっていた。本発明は以上の難点を解消するものである。
【０００４】
【課題を解決するための手段】
上記課題を解決するため、バックボーンの下面側に固着する点灯回路基板の金属製放熱板にアース端子ねじ取付用のねじ切り孔を設け、バックポーンの上面側にアース端子ねじの頭部が向くようにアース端子ねじを取り付けるようにする。さらにバックポーンには、アース端子ねじの頭部が露出するように貫通孔を設け、パックボーン上面側からアース線の接続を可能とする。
【０００５】
【発明の実施の形態】
本発明の実施形態について説明する。図１におけるバックポーン１は、表面に塗装を施している板金製で器状を成し、上面側２を天井への取付面として形成し、下面側３に点灯回路基板４、反射板５、蛍光ランプ６等の本体構成部品を配置する。また、下面側３には、構成部品を固着する止めねじ７をねじ込むための上面側２に張り出すバーリング孔８を複数設ける。前記、点灯回路基板４は、Ｌ字に加工された金属製放熱板９を備え、前記、金属製放熱板９には、バックボーン１に固着する際の止めねじ７の貫通孔１０を設け、さらにアース端子ねじ１１を取り付けるねじ切り孔１２を設ける。前記、反射板５は、表面に塗装を施している板金製で皿状を成し、間緑鍔部１３をバックポーン１に止めねじ７で固着するための貫通孔１４を設ける。
図２で本発明のアース端子ねじ１１の構造を示す。点灯回路基板４に備えている金属製放熱板９にアース端子ねじ１１の頭部１５をバックボーン１の上面側２が向くようにねじ込んでおき、バックポーン１は、前記アース端子ねじ１１の頭部１５が貫通する貫通孔１６を設ける。さらに、前記、金属製放熱板９に止めねじ７の貫通孔１７を設け、止めねじ７でバックポーン１のバーリング孔８にねじ込み固着する。これにより、アース端子ねじ１１は、バックポーン上面側２に露出し、本体外部からのアース線を接続可能とする。
【０００６】
【発明の効果】
本発明によれば、放熱板の性能を損なわず、さらに放熱板はバックポーン内に収まるため外観の問題が無い事から素地で使用しアースを確実に取ることができる。また、組立に関しても、放熱板をバックポーンに取り付けた後でアース端子ねじをねじ込むとバックボーンを逆さにしなければならないが放熱板をバックボーンに取りつける前にアース端子ねじをねじ込んでおけばバックポーンより小形のため取り扱いがし易くなる。
【図面の簡単な説明】
【図１】本発明に係る照明器具本体の分解図である。
【図２】そのアース端子ねじ取り付け構造図である。
【図３】本発明を採用した本体の天井直付照明器具である。
【符号の説明】
１．．．パックポーン、４．．．点灯回路基板、５．．．反射板、６．．．蛍光ランプ、７．．．止めねじ、８．．．バーリング孔、９．．．金属製放熱板、１１．．．アース端子ねじ
【図１】
2004158413.tif 000003
【図２】
2004158413.tif 000004
【図３】
2004158413.tif 000005
(57)【要約】      （修正有）【課題】コンパクトなマイナスイオン発生器つき電気スタンドを提供する。【解決手段】スタンドベース１を備える。前記スタンドベース１から立ち上がる支柱を備える。前記支柱の上部に配置する光源ユニット４を備える。前記支柱は前記スタンドベース１から立ち上がる主支柱部２と該主支柱部２の上部から延在してさらに立ち上がる補助支柱部３を具備する。前記スタンドベース１・主支柱部２の範囲に配置するマイナスイオン発生器２０を備える。前記マイナスイオン発生器２０のイオン吹き出し口Ａを前記主支柱部２の上部付近に露出させる。前記補助支柱部３の上部に前記光源ユニット４を開閉自在に蝶着し、開の状態では該光源ユニット４から下向き配光を形成し、閉の状態では該光源ユニット４を前記イオン吹き出し口Ａを塞がずに前記補助支柱部３に重なるように形成する。【選択図】    図３
2004158411.tif 000002
【特許請求の範囲】
【請求項１】
スタンドベースを備え、前記スタンドベースから立ち上がる支柱を備え、前記支柱の上部に配置する光源ユニットを備え、前記支柱は前記スタンドベースから立ち上がる主支柱部と該主支柱部の上部から延在してさらに立ち上がる補助支柱部を具備し、前記スタンドベース・主支柱部の範囲に配置するマイナスイオン発生器を備え、前記マイナスイオン発生器のイオン吹き出し口を前記主支柱部の上部付近に露出させ、前記補助支柱部の上部に前記光源ユニットを開閉自在に蝶着し、開の状態では該光源ユニットから下向き配光を形成し、閉の状態では該光源ユニットを前記イオン吹き出し口を塞がずに前記補助支柱部に重なるように形成したことを特徴とするマイナスイオン発生器付き電気スタンド。
【発明の詳細な説明】
【０００１】
【発明の属する技術分野】
本発明は、電気スタンドの灯体にマイナスイオン発生器を複合搭載する場合の製品構造に関するものである。
【０００２】
【従来の技術】
電気スタンドにマイナスイオン発生器を複合搭載した公知例はない。現在、複合搭載している製品は、空気清浄器、加湿器、エアコンなどがある。
【０００３】
【発明が解決しようとする課題】
本発明のマイナスイオン付き電気スタンドは、リビングの卓上やローボード上、ベッドサイドで使用することを目的とする。このためコンパクトで収納性がよく、使い勝手を配慮した器具形態が要求される。また、人体に有用とされるマイナスイオンを使用者に向け効率よく浴びせるための配置構造も必須条件となる。
【０００４】
【課題を解決するための手段】
本発明のマイナスイオン発生器付き電気スタンドは、円形のスタンドベースから立ち上がる灯体部を円柱状にした。前記灯体部は中央下部を主支柱部とし、中央上部は補助支柱部とランプを備えたセード部をほぼ中心から縦に分割した形状とした。前記セード部は前記補助支柱部の上部で開閉自在に蝶着した。マイナスイオン発生器は、前記主支柱部の上方に配置し、イオン吹き出し口を製品前方となるように設けた。なお、本製品の点滅は電気スタンドとマイナスイオン発生器がそれぞれ単独で使えるよう電源を独立させている。
【０００５】
【発明の実施の形態】
図１〜３を用いて本発明の実施形態について説明する。図１は電気スタンド使用時の外観図である。本スタンドは円形ベース１から立ち上がる主支柱２を備え、その上部に補助支柱３を備え、前記補助支柱の上部で光源ユニットを搭載したセード部４を開閉自在となるように蝶着した。本スタンド使用時は第１図に示すようにセード部４を上方に開いて使用する。
本スタンド使用時の内部構造を図２に示す。円形ベース１には、底板５、点灯時消灯スイッチ６を備え、その上部に主支柱２を立ち上げる。主支柱２内部にはファンモーター１０およびファンモーター用電源１５を備え、主支柱２上部前方にマイナスイオン発生ユニット２０を配した。前記マイナスイオン発生ユニット２０の電源は下部に配した押しボタンスイッチ３０で操作しスタンドの点滅に関係なく単独で動作する。
主支柱２の上方は、円柱をほぼ中央から縦に二分した形状とし前方をセード部４、後方を補助支柱３とした。セード部４は最上部中央で調節ねじ５０により、開閉自在に蝶着した。前記セード部４には、ランプ４２、ソケット４４、ドアスイッチ４６を搭載しランプの点滅はセード部の開閉動作によって行う。
図３はセード部を閉じた状態を表す。本スタンドは収納性、使い勝手を配慮しコンパクトな形態とするためセードを閉じた時は円柱状となる。
【０００６】
【発明の効果】
本発明によれば収納性がよく、コンパクトなマイナスイオン発生器つき電気スタンドとなる。特に、電気スタンドとして使わずにマイナスイオン発生器として用いる場合は、該光源ユニットを補助支柱部に閉じた状態にできるので、使い勝手がよい。その状態ではスタンドオベース上で棒状を呈しイオン吹き出し口を適度の高さに保持する器具としての役割を電気スタンドが負い、邪魔にならない。
【図面の簡単な説明】
【図１】本発明に係るマイナスイオン発生器付き電気スタンドの使用時における斜視図である。
【図２】その断面図である。
【図３】同電気スタンドの収納時における斜視図である。
【符号の説明】
１：円形ベース  ２：主支柱  ３：補助支柱  ４：セード部  ５：底板
６：点灯時消灯スイッチ  １０：ファンモーター  １５：ファンモーター用電源
２０：マイナスイオン発生ユニット  ３０：押しボタンスイッチ  ４２：ランプ
４４：ソケット  ４６：ドアスイッチ  ５０：調節ねじ  Ａ：イオン吹き出し口
【図１】
2004158411.tif 000003
【図２】
2004158411.tif 000004
【図３】
2004158411.tif 000005
(57)【要約】【課題】熱検知素子１つでスイッチング素子及びインダクタンス素子の両方を熱暴走の破損より保護する。【解決手段】スイッチング素子３とインダクタンス素子１との間に熱検知素子２を配置しチューブ４にて固定する。【選択図】図１
2004158415.tif 000002
【特許請求の範囲】
【請求項１】
蛍光灯点灯装置内に搭載されるスイッチング素子及び、同装置内に搭載されるインダクタンス素子（例えば共振チョークコイル、バラストチョークコイル）と上記二点の素子の発熱を同一の熱検知素子（サーマルプロテクタ）で熱検知し上記二点のうちいずれかの温度が部品耐熱を超える前に回路動作を停止させる点灯装置。
【発明の詳細な説明】
【０００１】
【発明の属する技術分野】
本発明は蛍光灯点灯装置におけ素子の熱検知方法に関するものである。
【０００２】
【従来の技術】
図２の（Ａ）及び（Ｂ）は汎用されている放電灯点灯装置における部品の熱検知方式である。図２（Ａ）においては、インダクタンス素子１、これを熱検知する熱およびこれらを固定するチューブ４より構成される。図２（Ｂ）においては、スイッチング素子３の発熱を検知する熱検知素子５とインダクタンス素子１およびこれらを固定するチューブ４より構成される。従来技術においては発熱を検知する熱検知素子が２つそれぞれ独立して素子の熱を検知している。上記いずれかの熱検知素子が熱検知温度に達すると、熱検知素子は開放状態となり回路動作を停止させ素子の熱暴走による破損を防止している。
【０００３】
【発明が解決しようとする課題】
図２においては熱検知素子がそれぞれ独立して配置されているため、熱検知素子を２つ使用しなくてはならず基板実装面、組立作業性の面で不利である。
本発明の目的はこれら独立して２つの熱検知素子を用いていたものを１つに共用化し基板実装効率の向上、作業性の向上を図ることにある。
【０００４】
【課題を解決するための手段】
本発明は、発熱部品であるスイッチング素子、インダクタンス素子の２つの素子の間に熱検知素子を挟み込みこむことにより課題を解決する。本発明の一実施例を図１に示す。同国においてスイッチング素子３又はインダクタンス素子１が発熱し、熱検知素子２の熱検知温度を超えると熱検知素子２は開放状態となる。この作用により回路動作が停止し、素子の熱暴走による破損を防止する。
【０００５】
【発明の実施の形態】
図１を用いて本発明の実施形態について説明する。図１はスイッチング素子３、インダクタンス素子１及び前記２点の部品間に配置される熱検知素子２より構成される。尚前記３点の素子はチューブ４により固定されている。
【０００８】
【発明の効果】
本発明によれば熱検知素子１つでスイッチング素子及びインダクタンス素子の両方を保護することか可能である。
【図面の簡単な説明】
【図１】本発明に係るスイッチング素子とインダクタンス素子と熱検知素子の配置例である。
【図２】従来のスイッチング素子とインダクタンス素子と熱検知素子の配置例である。
【符号の説明】
１：インダクタンス素子
２：熱検知素子
３：スイッチング素子
４：素子固定用チューブ
５：熱検知素子
【図１】
2004158415.tif 000003
【図２】
2004158415.tif 000004